(57)【特許請求の範囲】
【請求項１】
一方向に延びる第１の回転軸と、
前記第１の回転軸と間隔をあけて延びる第２の回転軸と、
前記第１の回転軸回りに回転できる第１の挟み込み部材と、
前記第２の回転軸回りに回転できる第２の挟み込み部材と、
前記第１の挟み込み部材及び前記第２の挟み込み部材が外部から押し込まれたシーツを挟み込むように、該第１の挟み込み部材及び該第２の挟み込み部材をそれぞれ前記第１の回転軸回り及び前記第２の回転軸回りに回転させる力を発生する力発生部と、を備えたシーツ留め具。
【請求項２】
請求項１記載のシーツ留め具において、
前記第１の挟み込み部材の正面側が、前記第２の挟み込み部材の背面側に接触するシーツ留め具。
【請求項３】
請求項２記載のシーツ留め具において、
前記第２の回転軸が前記第１の回転軸よりも上側に配置されているシーツ留め具。
【請求項４】
請求項１〜３のいずれか１項に記載のシーツ留め具において、
前記シーツが押し込まれる方向及び該方向とは反対の方向に前記第１の保持部材及び前記第２の保持部材を案内する案内装置を更に備えたシーツ留め具。
【請求項５】
マットレス及び該マットレスを支持する支持体の間に配置される第１の部材と、
前記第１の部材から上方へと延びる第２の部材と、
前記第２の部材に固定された請求項１〜４のいずれか１項に記載のシーツ留め具と、を備えたシーツ保持装置。
【請求項６】
請求項１〜４のいずれか１項に記載のシーツ留め具を備えたマットレス。
【請求項７】
請求項１〜４のいずれか１項に記載のシーツ留め具を備えたベッド。
【発明の詳細な説明】
【技術分野】
【０００１】
本発明は、シーツ留め具、シーツ保持装置、マットレス、及びベッドに関する。
【背景技術】
【０００２】
従来、ベッドメーキングにおいて、シーツはその端部がマットレスの下に入れ込まれることによりセットされていた。
特許文献１には、ベッドメーキングの作業を軽減なものとするカバー用具保持具が記載されている。このカバー用具保持具は、ベッド土台とこのベッド土台の上に載置されたマットとの間であってマットのコーナー下部または下部近傍に配置される差し込み板と、一端が差し込み板に連結されたつなぎ部材と、つなぎ部材の他端に位置してマットにかけられたシーツなどのカバー用具を着脱可能に保持するクリップとを備えている。
【先行技術文献】
【特許文献】
【０００３】
【特許文献１】特開２００６−１２９９９７号公報
【発明の概要】
【発明が解決しようとする課題】
【０００４】
ここで一般に、シーツをセットする労力がより軽減されることが好ましい。
本発明は、シーツをセットする労力が軽減されるシーツ留め具、シーツ保持装置、マットレス、及びベッドを提供することを目的とする。
【課題を解決するための手段】
【０００５】
前記目的に沿う第１の発明に係るシーツ留め具は、一方向に延びる第１の回転軸と、
前記第１の回転軸と間隔をあけて延びる第２の回転軸と、
前記第１の回転軸回りに回転できる第１の挟み込み部材と、
前記第２の回転軸回りに回転できる第２の挟み込み部材と、
前記第１の挟み込み部材及び前記第２の挟み込み部材が外部から押し込まれたシーツを挟み込むように、該第１の挟み込み部材及び該第２の挟み込み部材をそれぞれ前記第１の回転軸回り及び前記第２の回転軸回りに回転させる力を発生する力発生部と、を備える。
【０００６】
第１の発明に係るシーツ留め具において、
前記第１の挟み込み部材の正面側が、前記第２の挟み込み部材の背面側に接触することが好ましい。
【０００７】
第１の発明に係るシーツ留め具において、
前記第２の回転軸が前記第１の回転軸よりも上側に配置されていてもよい。
【０００８】
第１の発明に係るシーツ留め具において、
前記シーツが押し込まれる方向及び該方向とは反対の方向に前記第１の保持部材及び前記第２の保持部材を案内する案内装置を更に備えることができる。
【０００９】
前記目的に沿う第２の発明に係るシーツ保持装置は、マットレス及び該マットレスを支持する支持体の間に配置される第１の部材と、
前記第１の部材から上方へと延びる第２の部材と、
前記第２の部材に固定された第１の発明に係るシーツ留め具と、を備える。
【００１０】
前記目的に沿う第３の発明に係るマットレスは、第１の発明に係るシーツ留め具を備える。
【００１１】
前記目的に沿う第４の発明に係るベッドは、第１の発明に係るシーツ留め具を備える。
【発明の効果】
【００１２】
本発明によれば、シーツをセットする労力が軽減されるシーツ留め具、シーツ保持装置、マットレス、及びベッドを提供できる。
【図面の簡単な説明】
【００１３】
【図１】本発明の第１の実施の形態に係るシーツ留め具の説明図である。
【図２】同シーツ留め具の要部を示す構造図である。
【図３】同シーツ留め具の正面図である。
【図４】図３に示す同シーツ留め具のＸ−Ｘ断面図である。
【図５】同シーツ留め具がシーツを保持する直前の状態を示す説明図である。
【図６】本発明の第２の実施の形態に係る留め具の説明図であって、図４のＸ−Ｘ断面図に対応する図である。
【図７】（Ａ）は、本発明の第３の実施の形態に係るシーツ保持装置の外観図であり、（Ｂ）は、同シーツ保持装置が取り付けられたベッドを足元側からみた側面図である。
【図８】本発明の第４の実施の形態に係るシーツ留め具の平面図である。
【発明を実施するための形態】
【００１４】
続いて、添付した図面を参照しつつ、本発明を具体化した実施の形態につき説明し、本発明の理解に供する。なお、図において、説明に関連しない部分は図示を省略する場合がある。
【００１５】
〔第１の実施の形態〕
本発明の第１の実施の形態に係るシーツ留め具１０は、図１に示すように、例えばホテルに設置されたベッド１２が備えるマットレス１２２の側部に内蔵されている。シーツ留め具１０は、シーツＳＴ（図５参照）を交換する作業効率の観点から、ベッド１２の上で眠る使用者の左右側又は上下側に２箇所ずつ配置されていることが好ましい。
シーツ留め具１０は、シーツＳＴの縁よりも内側の部分（例えば、縁から１００〜５００ｍｍ内側の部分）を挟み込み、シーツＳＴを留めることができる。
【００１６】
シーツ留め具１０は、図２及び図３に示すように、下側挟み込み部材（第１の挟み込み部材の一例）２２、第１のシャフト２６ａ、及び第１のねじりバネ２８ａを備えている。また、シーツ留め具１０は、上側挟み込み部材（第２の挟み込み部材の一例）２４、第２のシャフト２６ｂ、及び第２のねじりバネ２８ｂを備えている。
【００１７】
下側挟み込み部材２２は、正面（方向Ａ）から見て左右方向に延びる矩形状の板状の部材である。下側挟み込み部材２２は、水平方向（一方向）に延びる第１の回転軸ＡＸａ回りに回転でき、図５に示すように、上側挟み込み部材２４とともに外側（正面側）から押し込まれたシーツＳＴを挟み込むことができる。なお、ここに言う「水平」とは、厳密な意味での水平ではない。即ち、「水平」とは、設計上、製造上の誤差が許容され、「実質的に水平」という意味である（以下、同様）。具体的には、例えば、―１０度〜＋１０度の範囲内で第１の回転軸ＡＸａが水平線から傾いていてもよい。
【００１８】
詳細には、下側挟み込み部材２２は、図４に示すように、固定部２２２及び接触部２２４を有している。
固定部２２２は、背面側の下部が、第１のシャフト２６ａに固定される。
接触部２２４は、正面側の下部が固定部２２２に固定されている。接触部２２４の正面側の上部には、正面側（方向Ａ）から押し込まれたシーツＳＴに接触する摩擦部材２２６が設けられている。
【００１９】
第１のシャフト２６ａは、下側挟み込み部材２２の第１の回転軸ＡＸａとなる丸棒状の部材である。第１のシャフト２６ａの両端は、それぞれ、フレーム３０（図３参照）に回転可能に支持されている。前述の通り、第１のシャフト２６ａは、下側挟み込み部材２２が有する固定部２２２の背面側の下部に、固定部２２２の長手方向に沿って固定されている。
第１のシャフト２６ａには、図２及び図３に示すように、下側挟み込み部材２２が正面側に飛び出さないよう、フレーム３０に接触して第１のシャフト２６ａの方向Ｒａ１（図４参照）の回転量を制限する第１のストッパ３２ａが設けられている。
【００２０】
第１のねじりバネ２８ａは、第１のシャフト２６ａの一端部に配置され、下側挟み込み部材２２を上側挟み込み部材２４に接触する方向に回転させる力を発生できる。第１のねじりバネ２８ａの一端側は第１のシャフト２６ａに固定され、他端側は、フレーム３０に固定されている。
【００２１】
上側挟み込み部材２４は、正面から見て左右方向に延びる矩形状の板状の部材である。上側挟み込み部材２４は、第１の回転軸ＡＸａよりも上側に配置され第１の回転軸ＡＸａと間隔をあけて延びる第２の回転軸ＡＸｂ回りに回転できる。
上側挟み込み部材２４の上下方向の寸法Ｌｂは、図４に示すように、下側挟み込み部材２２の上下方向の寸法Ｌａよりも短くなっており、上側挟み込み部材２４の背面側には、下側挟み込み部材２２の正面側が接触する。すなわち、上側挟み込み部材２４は、正面から見ると、下部が下側挟み込み部材２２の上部と重なるように配置されている（図３参照）。
上側挟み込み部材２４の背面側の下部には、摩擦部材２４２（図４参照）が設けられている。摩擦部材２４２には、シーツＳＴ（図５）がない状態においては、下側挟み込み部材２２の摩擦部材２２６が接触する。
【００２２】
第２のシャフト２６ｂは、上側挟み込み部材２４の第２の回転軸ＡＸｂ（図２参照）となる丸棒状の部材である。第２のシャフト２６ｂの両端は、それぞれ、フレーム３０（図３参照）に回転可能に支持されている。第２のシャフト２６ｂは、上側挟み込み部材２４の背面側の上部に、長手方向に沿って固定されている。
第２のシャフト２６ｂには、図２及び図３に示すように、上側挟み込み部材２４が正面側に開いて飛び出さないよう、フレーム３０に接触して第２のシャフトの方向Ｒｂ１（図４参照）の回転量を制限する第２のストッパ３２ｂが設けられている。
なお、第２のストッパ３２ｂが設けられていれば、第１のストッパ３２ａは必須ではない。
【００２３】
第２のねじりバネ２８ｂは、図２に示すように、第２のシャフト２６ｂの一端部に配置され、上側挟み込み部材２４の下端部を正面側に飛び出す方向（図４に示す方向Ｒｂ１）に回転させる力を発生できる。第２のねじりバネ２８ｂの一端側は第２のシャフト２６ｂに固定され、他端側は、フレーム３０に固定されている。
第２のねじりバネ２８ｂは、図３に示すように、シーツ留め具１０を正面側から見て、第１のねじりバネ２８ａとは左右反対側に配置されていることが好ましい。
なお、第１のねじりバネ２８ａ及び第２のねじりバネ２８ｂは、下側挟み込み部材２２及び上側挟み込み部材２４をそれぞれ第１の回転軸ＡＸａ回り及び第２の回転軸ＡＸｂ回りに回転させる力を発生する力発生部を構成する。力発生部は、第１のねじりバネ２８ａ及び第２のねじりバネ２８ｂに限定されるものではなく、下側挟み込み部材２２及び上側挟み込み部材２４が閉じるような力を発生できれば任意の構成でよい。
【００２４】
次に、シーツ留め具１０の動作について説明する。
下側挟み込み部材２２が上側挟み込み部材２４に接触した状態（図４参照）において、シーツＳＴが外部から（方向Ａから）押し込まれる。
【００２５】
シーツＳＴが押し込まれると、下側挟み込み部材２２及び上側挟み込み部材２４が、それぞれ第１のねじりバネ２８ａ及び第２のねじりバネ２８ｂ（図２参照）が発生する力に抗して押され、図４に示す方向Ｒａ２及び方向Ｒｂ２に回転する。下側挟み込み部材２２及び上側挟み込み部材２４が回転すると、下側挟み込み部材２２と上側挟み込み部材２４との間に隙間が形成され、シーツＳＴはこの隙間に挿入される。
【００２６】
シーツＳＴが挿入された後、図２に示す第１のねじりバネ２８ａ及び第２のねじりバネ２８ｂが発生する力によって、下側挟み込み部材２２及び上側挟み込み部材２４がそれぞれ閉じる方向Ｒａ１（方向Ｒａ２と反対方向）及び方向Ｒｂ１（方向Ｒｂ２と反対方向）に回転し（図５参照）、シーツＳＴは、下側挟み込み部材２２の摩擦部材２２６及び上側挟み込み部材２４の摩擦部材２４２によって、シーツ留め具１０の内部にて折り返された状態で挟み込まれる。
その結果、シーツＳＴは、シーツ留め具１０に保持され、マットレス１２２（図１参照）の上に人が載ってもずれることが抑制される。
ちなみに、シーツＳＴを交換する作業者が、シーツＳＴの縁を掴んで床面の方向に引っ張るとシーツＳＴはシーツ留め具１０から外れる。
【００２７】
このように、シーツ留め具１０は、マットレス１２２の側方からシーツＳＴを押し込むだけでシーツＳＴを留められるので、シーツＳＴをセットする労力が軽減される。
また、シーツ留め具１０によれば、従来のように端部をマットレス１２２の下に入れ込んでシーツをセットする場合と比較して、シーツＳＴがより小さいサイズとなる。
なお、シーツ留め具１０と、下側挟み込み部材又は上側挟み込み部材のいずれか一方が固定されて可動しないシーツ留め具と、を比較すると、シーツ留め具１０の方が、操作感が良好であり、作業者が無意識的にシーツＳＴを押し込むことにより、簡単にそのシーツＳＴを保持できる。従って、特に多数のシーツＳＴを交換する必要があるホテルや病院等においては、シーツ留め具１０の方が、交換に要する作業時間が短縮される。
【００２８】
〔第２の実施の形態〕
続いて、本発明の第２の実施の形態に係るシーツ留め具１０ａについて説明する。第１の実施の形態に係るシーツ留め具１０と同一の構成要素については、同じ符号を付して詳しい説明を省略する。
【００２９】
シーツ留め具１０ａは、図６に示すように、シーツ留め具１０とは下側挟み込み部材２２ａ及び上側挟み込み部材２４ａの形状が相違する。
下側挟み込み部材２２ａは、第１のシャフト２６ａに固定され、第１の回転軸ＡＸａ回りに回転できる。下側挟み込み部材２２ａは、上端部から背面側（厚み方向）へと延びる第１の接触部３３ａを有している。第１の接触部３３ａの上側の面には、シーツＳＴに接触する摩擦部材３４ａが設けられている。
上側挟み込み部材２４ａは、第２のシャフト２６ｂに固定され、回転軸ＡＸｂ回りに回転できる。上側挟み込み部材２４ａは、下端部から背面側（厚み方向）へと延びる第２の接触部３３ｂを有している。第２の接触部３３ｂの下側の面には、シーツＳＴに接触する摩擦部材３４ｂが設けられている。
下側挟み込み部材２２ａ及び上側挟み込み部材２４ａは、それぞれ実質的に同一形状となっている。
外側から押し込まれたシーツＳＴは、下側挟み込み部材２２ａの摩擦部材３４ａと上側挟み込み部材２４ａの摩擦部材３４ｂとによって挟まれて保持される。
【００３０】
〔第３の実施の形態〕
続いて、本発明の第３の実施の形態に係るシーツ保持装置４０について説明する。
前述のシーツ留め具１０はマットレス１２２に内蔵されていたが、図７（Ａ）及び図７（Ｂ）に示すようなシーツ保持装置４０を構成してもよい。
このシーツ保持装置４０は、シーツ留め具１０、第１の板状部材４１、及び第２の板状部材４２を備えている。
【００３１】
第１の板状部材（第１の部材の一例）４１は、マットレス１２２及びこのマットレス１２２を支持する支持体１２４の間に配置される板状の部材である。第１の板状部材４１は、方向Ｂから挿入される。
第２の板状部材（第２の部材の一例）４２は、マットレス１２２の側方部にて、第１の板状部材４１の端部から上方へと延びる板状の部材である。
シーツ留め具１０は、第２の板状部材４２に固定される。
【００３２】
シーツ保持装置４０は、第１の板状部材４１をマットレス１２２及びこのマットレス１２２を支持する支持体１２４の間に挿入することによって設置される。
従って、既存のベッドにおいて、マットレス１２２にシーツ留め具１０が内蔵されていなくても、シーツＳＴをセットする労力が軽減される。
なお、シーツ保持装置は、シーツ留め具１０に代えてシーツ留め具１０ａにより構成されてもよい。
【００３３】
〔第４の実施の形態〕
続いて、本発明の第４の実施の形態に係るシーツ留め具５０について説明する。第１の実施の形態に係るシーツ留め具１０と同一の構成要素については、同じ符号を付して詳しい説明を省略する。
【００３４】
シーツ留め具５０は、シーツ留め具１０と同様、マットレス１２２の側部に内蔵される。
シーツ留め具５０は、図８に示すように、両端部にそれぞれ、シーツＳＴが押し込まれる方向Ａ（挿入方向Ａ）及び挿入方向Ａとは反対の方向に下側挟み込み部材２２及び上側挟み込み部材２４を案内する案内装置５２を備えている。
各案内装置５２は、支持部５２２、案内シャフト５２４、並びに第１のコイルバネ５２６ａ及び第２のコイルバネ５２６ｂを有している。
支持部５２２は、フレーム３０に固定され、案内シャフト５２４によって案内される。
案内シャフト５２４は、支持部５２２を挿入方向Ａ及び挿入方向Ａの反対方向に案内できる。
【００３５】
第１のコイルバネ５２６ａは、内部に案内シャフト５２４が挿入され、支持部５２２よりも外側（シーツＳＴを挿入する側）に配置される。第１のコイルバネ５２６ａの一端部は、支持部５２２に固定され、他端部は、フレームに固定される。
第２のコイルバネ５２６ｂは、内部に案内シャフト５２４が挿入され、支持部５２２よりも内側に配置される。第２のコイルバネ５２６ｂの一端部は、支持部５２２に固定され、他端部は、フレームに固定される。
【００３６】
シーツ留め具５０においては、シーツＳＴが挟み込まれると、シーツＳＴに加わる引張力に応じて支持部５２２が挿入方向Ａ又はその反対方向に移動できる。例えば、マットレス１２２の上に人が載ると、シーツＳＴに引張力が加わり、支持部５２２が挿入方向Ａとは反対の方向に移動する。
従って、シーツＳＴに加わる引張力の変化が緩和されるので、シーツＳＴが傷むことが抑制される。
【００３７】
以上、本発明の実施の形態を説明したが、本発明は、上記した形態に限定されるものでなく、要旨を逸脱しない条件の変更等は全て本発明の適用範囲である。
前述の各実施の形態に示したシーツ留め具は、ベッドに内蔵されていてもよい。
【符号の説明】
【００３８】
１０、１０ａ  シーツ留め具
１２  ベッド
２２、２２ａ  下側挟み込み部材
２４、２４ａ  上側挟み込み部材
２６ａ  第１のシャフト
２６ｂ  第２のシャフト
２８ａ  第１のねじりバネ
２８ｂ  第２のねじりバネ
３０  フレーム
３２ａ  第１のストッパ
３２ｂ  第２のストッパ
３３ａ  第１の接触部
３３ｂ  第２の接触部
３４ａ、３４ｂ  摩擦部材
４０  シーツ保持装置
４１  第１の板状部材
４２  第２の板状部材
５０  シーツ留め具
５２  案内装置
ＳＴ  シーツ
１２２  マットレス
１２４  支持体
２２２  固定部
２２４  接触部
２２６、２４２  摩擦部材
５２２  支持部
５２４  案内シャフト
５２６ａ  第１のコイルバネ
５２６ｂ  第２のコイルバネ
【要約】
【課題】シーツをセットする労力が軽減されるシーツ留め具を提供する。
【解決手段】シーツ留め具１０は、一方向に延びる第１の回転軸ＡＸａと、第１の回転軸ＡＸａと間隔をあけて延びる第２の回転軸ＡＸｂと、第１の回転軸ＡＸａ回りに回転できる第１の挟み込み部材２２と、第２の回転軸ＡＸｂ回りに回転できる第２の挟み込み部材２４と、第１の挟み込み部材２２及び第２の挟み込み部材２４が外部から押し込まれたシーツＳＴを挟み込むように、第１の挟み込み部材２２及び第２の挟み込み部材２４をそれぞれ第１の回転軸ＡＸａ回り及び第２の回転軸ＡＸｂ回りに回転させる力を発生する力発生部と、を備える。
【選択図】図２【図１】
0005926878.tif 000002
【図２】
0005926878.tif 000003
【図３】
0005926878.tif 000004
【図４】
0005926878.tif 000005
【図５】
0005926878.tif 000006
【図６】
0005926878.tif 000007
【図７】
0005926878.tif 000008
【図８】
0005926878.tif 000009